(57)【要約】  使用済みワインコルクの陳列方法であり、ワインコルクを栓が開けられたボトルから、ワインコルク陳列ホルダーに配置することで、コルク上の残渣で、ホルダーが静置される表面を汚さないようにすることを可能にする。ワインコルク陳列ホルダーは、底部と少なくとも２つの側壁を有する。ワインコルク陳列ホルダーは、１つあるいは複数の端壁を含んでもよい。ワインコルク陳列ホルダーは凹部を有する形状に形成されてもよく、端壁から上方に傾斜していてもよい。【選択図】図１Ａ
2007513696.tif 000002
【特許請求の範囲】
【請求項１】
コルクに付着した残渣でホルダーが静置される表面を汚さないようにするとともに、使用済みのワインコルクを陳列する方法であって、
前記方法は、コルクを栓が開けられたワインボトルからワインコルク陳列ホルダー内に配置するステップを有し、
前記ワインコルク陳列ホルダーは、底部と少なくとも２つの側壁とを有することを特徴とする、使用済みワインコルク陳列方法。
【請求項２】
前記少なくとも２つの側壁は、０．６３５ｃｍ（０．２５インチ）乃至１０．１６ｃｍ（４．０インチ）の長さを有することを特徴とする請求項１に記載されたワインコルク陳列方法。
【請求項３】
前記少なくとも２つの側壁は、１．２７ｃｍ（０．５インチ）乃至３．８１ｃｍ（１．５インチ）離れて配置される１対の側壁を有することを特徴とする請求項１に記載されたワインコルク陳列方法。
【請求項４】
前記底部は、凹部を形成するように前記側壁と結合することを特徴とする請求項１に記載されたワインコルク陳列方法。
【請求項５】
前記凹部は、Ｕ字形の断面形状を有することを特徴とする請求項４に記載されたワインコルク陳列方法。
【請求項６】
前記凹部は、Ｖ字形の断面形状を有することを特徴とする請求項４に記載されたワインコルク陳列方法。
【請求項７】
前記凹部は、凵字形の断面形状を有することを特徴とする請求項４に記載されたワインコルク陳列方法。
【請求項８】
前記底部は、第１の端部と、第２の端部とを有し、
前記底部は、前記第１の端部から前記第２の端部に向かって上方に傾斜していることを特徴とする請求項１に記載されたワインコルク陳列方法。
【請求項９】
前記ワインコルク陳列ホルダーは、さらに、少なくとも１つの端壁を有することを特徴とする請求項１に記載されたワインコルク陳列方法。
【請求項１０】
前記底部は、第１の端部と第２の端部とを有し、
前記端壁は、前記底部の第１の端部に配置され、
前記底部は、前記第１の端部から前記第２の端部に向かって上方に傾斜していることを特徴とする請求項９に記載されたワインコルク陳列方法。
【請求項１１】
前記ワインコルク陳列ホルダーはさらに、少なくとも２つの端壁を有することを特徴とする請求項１に記載されたワインコルク陳列方法。
【請求項１２】
底部と１対の側壁とを有するワインコルク陳列ホルダーであって、
前記１対の側壁の少なくとも一方は、０．６３５ｃｍ（０．２５インチ）乃至１０．１６ｃｍ（４．０インチ）の長さを有し、
前記１対の側壁は、１．２７ｃｍ（０．５インチ）乃至３．８１ｃｍ（１．５インチ）離れて配置される、
ことを特徴とするワインコルク陳列ホルダー。
【請求項１３】
前記底部は、凹部を形成するように前記１対の側壁と結合することを特徴とする請求項１２に記載されたワインコルク陳列ホルダー。
【請求項１４】
前記凹部は、Ｕ字形の断面形状を有することを特徴とする請求項１３に記載されたワインコルク陳列ホルダー。
【請求項１５】
前記凹部は、Ｖ字形の断面形状を有することを特徴とする請求項１３に記載されたワインコルク陳列ホルダー。
【請求項１６】
前記凹部は、凵字形の断面形状を有することを特徴とする請求項１３に記載されたワインコルク陳列ホルダー。
【請求項１７】
前記ワインコルク陳列ホルダーは、さらに、少なくとも１つの、凹部を支える底部材を有することを特徴とする請求項１３に記載されたワインコルク陳列ホルダー。
【請求項１８】
前記凹部は、凹部の第１の端部から凹部の第２の端部に向かって下方に傾斜していることを特徴とする請求項１３に記載されたワインコルク陳列ホルダー。
【請求項１９】
前記ワインコルク陳列ホルダーは、さらに、少なくとも１つの端壁を有することを特徴とする請求項１２に記載されたワインコルク陳列ホルダー。
【請求項２０】
前記ワインコルク陳列ホルダーは、凹部の第１の端部から凹部の第２の端部に向かって下方に傾斜していることを特徴とする請求項１９に記載されたワインコルク陳列ホルダー。
【請求項２１】
前記ワインコルク陳列ホルダーは、さらに、少なくとも２つの端壁を有することを特徴とする請求項１２に記載したワインコルク陳列ホルダー。
【請求項２２】
コルクに付着した残渣でホルダーが静置される表面を汚さないようにするとともに、使用済みのワインコルクを陳列する方法であって、
前記方法は、コルクを栓が開けられたワインボトルからワインコルク陳列ホルダー内に配置するステップを有し、
前記ワインコルク陳列ホルダーは、底部材、複数の側壁、および凹部を有しており、
前記複数の側壁は、湾曲部を持つ楔状の形体を形成し、
前記湾曲部を持つ楔状の形体は、約５．０８ｃｍ（２インチ）乃至１０．１６ｃｍ（４インチ）の長さ、約１．２７ｃｍ（１／２インチ）乃至３．８１ｃｍ（３／２インチ）の高さ、前縁および後縁、を有する第１の側壁と、
約５．０８ｃｍ（２インチ）乃至１０．１６ｃｍ（４インチ）の長さ、約１．２７ｃｍ（１／２インチ）乃至３．８１ｃｍ（３／２インチ）の高さ、前縁および後縁、を有する第２の側壁と、
約１．９０５ｃｍ（３／４インチ）乃至３．８１ｃｍ（３／２インチ）の長さ、約１．２７ｃｍ（１／２インチ）乃至３．８１ｃｍ（３／２インチ）の高さ、前縁および後縁、を有する第３の側壁と、
を有しており、
前記第１の側壁の前縁と、前記第２の側壁の前縁とが結合して、前記第１の側壁および前記第２の側壁の長さの最初の約４分の１のところで湾曲を形成し、
前記第１の側壁の後縁は、前記第３の側壁の前縁と結合し、前記第２の側壁の後縁は、前記第３の前縁と結合することで、湾曲部を持つ楔状の形体を形成しており、
前記凹部は、さらに、約８．８９ｃｍ（７／２インチ）乃至１．２７ｃｍ（１／２インチ）の長さ、約３．８１ｃｍ（３／２インチ）乃至０．３１７５ｃｍ（１／８インチ）の深さを持つ２つの側壁と、
約３．８１ｃｍ（３／２インチ）乃至１．９０５ｃｍ（３／４インチ）の長さ、約３．８１ｃｍ（３／２インチ）乃至０．３１７５ｃｍ（１／８インチ）の深さを持つ端壁と、を有しており、
前記凹部の側壁と端壁とは、前記底部材の大きさに対して、類似の湾曲部を持つ楔状の形体を形成し、前記凹部は、完全に前記３つの側壁に囲まれている、
ことを特徴とするワインコルク陳列方法。
【請求項２３】
ホルダーが静置される表面を前記残渣で汚さないようにするとともに、濡れたワインの残渣を含むコルクを陳列するワインコルク陳列ホルダーであって、
前記ワインコルク陳列ホルダーは、底部材、複数の側壁、および凹部を有しており、
前記複数の側壁は、湾曲部を持つ楔状の形体を形成し、
前記湾曲部を持つ楔状の形体は、約５．０８ｃｍ（２インチ）乃至１０．１６ｃｍ（４インチ）の長さ、約１．２７ｃｍ（１／２インチ）乃至３．８１ｃｍ（３／２インチ）の高さ、前縁および後縁、を有する第１の側壁と、
約５．０８ｃｍ（２インチ）乃至１０．１６ｃｍ（４インチ）の長さ、約１．２７ｃｍ（１／２インチ）乃至３．８１ｃｍ（３／２インチ）の高さ、前縁および後縁、を有する第２の側壁と、
約１．９０５ｃｍ（３／４インチ）乃至３．８１ｃｍ（３／２インチ）の長さ、約１．２７ｃｍ（１／２インチ）乃至３．８１ｃｍ（３／２インチ）の高さ、前縁および後縁、を有する第３の側壁と、
を有しており、
前記第１の側壁の前縁と、前記第２の側壁の前縁とが結合して、前記第１の側壁および前記第２の側壁の長さの最初の約４分の１のところで湾曲を形成し、
前記第１の側壁の後縁は、前記第３の側壁の前縁と結合し、前記第２の側壁の後縁は、前記第３の前縁と結合することで、湾曲部を持つ楔状の形体を形成しており、
前記凹部は、さらに、約８．８９ｃｍ（７／２インチ）乃至１．２７ｃｍ（１／２インチ）の長さ、約３．８１ｃｍ（３／２インチ）乃至０．３１７５ｃｍ（１／８インチ）の深さを持つ２つの側壁と、
約３．８１ｃｍ（３／２インチ）乃至１．９０５ｃｍ（３／４インチ）の長さ、約３．８１ｃｍ（３／２インチ）乃至０．３１７５ｃｍ（１／８インチ）の深さを持つ端壁と、を有しており、
前記凹部の側壁と端壁とは、前記底部材の大きさに対して、類似の湾曲部を持つ楔状の形体を形成し、前記凹部は、完全に前記３つの側壁に囲まれている、
ことを特徴とするワインコルク陳列ホルダー。
【発明の詳細な説明】
【技術分野】
【０００１】
本発明は概ねワインのコルクを陳列する方法に関し、特に、ワインのコルクを下の表面を汚さないように陳列するための方法および装置に関する。
【背景技術】
【０００２】
洗練されたレストランにおいては、顧客に様々なワインを提供することが一般的な慣習である。洗練されたレストランでワインを注文すれば、ワインサービスは複雑ではあるが、楽しい経験となりうる。ワインはまず始めに顧客にボトルで披露され、それから、コルクが抜かれ、コルクが顧客に点検と香りを嗅ぐために差し出される。次に、ワインにコルクの臭いが移っていないか、あるいは、腐っていないか、そして、温度は適正かどうかを決定するテイスティングのために、顧客に予備的に少量のワインが提供される。その後ワインは提供される。
【発明の開示】
【発明が解決しようとする課題】
【０００３】
今までの、レストラン業界の一般的な慣習では、コルクはワインの提供の後、直ちに廃棄されるか、あるいは、顧客のテーブルの上や皿に直に置かれるというものであった。これらの両方の選択は好ましくない結果をもたらす。コルクを廃棄すれば、顧客はさらにコルクを点検することができなくなり、また、酸化を防止するために、あるいは、ボトルを飲みきれなかった場合に、家への持ち帰りに供するために再び栓をすることができなくなる。コルクをテーブルに直に置くと、コルクに残ったワインの残渣で、テーブルクロスを汚してしまうかもしれない。多くのレストランは白いリネンテーブルクロスを使うので、ワインのしみ、ワインのおりの汚れは特に問題となり得る。さらに、テーブルクロスを使わなくても、コルクをテーブルに直接置くことは、テーブルを乱雑にし、また、コルクでワインボトルを再び栓をする場合に非衛生的となり得る。
【０００４】
単にコルクをプレートや、他の台所用品に置くことは、顧客や店主の望む格式や洗練さを遠ざけてしまう。さらに、同様の問題は、顧客が家でワインを楽しんでいる時や、ワインを飲んだり、陳列したりするような他のあらゆる場合に生じ得る。
【０００５】
それゆえ、ボトルを開けた後にコルクを保持するための方法の改良が望まれる。本願に開示される陳列ホルダーと方法とは、洗練されたレストランで食事をしている間に、美的に、ワインコルクを心地よく置いておく場を提供する。支持台はスタイリッシュであり、洗練さと気持ちのよいダイニングを演出するのに役立つ。さらに、支持台は、使用間において、皿とともに洗うことができるので、コルクをテーブルに単に置くよりも衛生的である。そのうえ、食事中にコルクを置く適切な場を提供することにより、レストランあるいは顧客はコルクを廃棄しなくてよく、レストランあるいは顧客は、所望により再びワインに栓をすることができる。
【課題を解決するための手段】
【０００６】
簡単に本発明の１つの側面を述べると、コルクについた残渣でホルダーを静置する表面を汚さないようにするとともに、ワインコルクを陳列する方法が提供される。ここに開示される方法によれば、栓を開けたワインボトルのワインコルクはワインコルク陳列ホルダーの中、あるいは上に置かれる。ワインコルク陳列ホルダーは概ね凹部を有する形体であることが好ましく、約０．６３５ｃｍ（０．２５インチ）から１０．１６ｃｍ（４インチ）の長さ、約１．２７ｃｍ（０．５インチ）から３．８１ｃｍ（１．５インチ）の幅、約０．３１７５ｃｍ（０．１２５インチ）から３．８１ｃｍ（１．５インチ）の高さであることが好ましい。凹部は片方の端部からもう一方の端部にかけて上方に傾斜していてもよく、円筒形状、Ｖ字、Ｕ字、矩形（「凵」）、円弧形、あるいは不定型な断面形状を有していてもよい。１つあるいは複数の壁が凹部を形成してもよく、また、凹部は１つあるいは複数の端壁を含んでいてもよい。端壁を含む場合に、凹部は端壁に向かって下方に傾斜していてもよい。
【０００７】
いくつかの他の好ましい実施態様では、底部は１つの尖った端部と、１つの平面の端部とを含むボート形状を形成する３つの壁を有している。３つの壁のうち２つは主として側壁であり、３つめの壁は端壁である。２つの側壁はそれぞれ、約５．０８ｃｍ（２インチ）から１０．１６ｃｍ（４インチ）の長さ、約０．６３５ｃｍ（０．２５インチ）から２．５４ｃｍ（１．０インチ）の高さであり、前縁と後縁を有している。端壁は約１．９０５ｃｍ（０．７５インチ）から３．８１ｃｍ（１．５インチ）の長さ、約０．３１７５ｃｍ（０．１２５インチ）から３．８１ｃｍ（１．５インチ）の高さである。２つの側壁は、前方の端部で結合し、ホルダーの湾曲した第１の端部を形成する。２つの側壁はそれぞれ、後方の端部で端壁に連結し、ホルダーの矩形の第２の端部を形成する。３つの壁の組合せにより、湾曲した先端とともに楔状の形体を形成する。凹部は完全にホルダーの３つの壁に囲まれている。
【０００８】
他の実施態様では、ホルダーは傾斜した床と１つの側壁のみを有する。さらに他の実施態様では、ホルダーは環状の側壁を有し、水平方向ではなく、垂直方向にコルクを保持してもよい。
【発明を実施するための最良の形態】
【０００９】
本発明の原理の理解を促進するために、好ましい実施態様について参照し、これを説明するために特別な言葉を使用する。それにもかかわらず、本発明の範囲を限定することを意図していないことを理解されたい。ここに開示された方法や装置の変更、更なる改良、そしてこの中で説明された本発明の原理のさらなる応用は、本発明の技術分野における当業者に普通に想起できると予期される。
【００１０】
上述したように、本発明の１つの側面は、陳列されるコルク上の残渣がこぼれないように、コルクを保持するのに適したワインコルク陳列ホルダーを提供することである。ホルダーは、好ましくは、コルクをホルダーが静置されるテーブルクロスおよび他の表面から支える底部材を有し、底部材はコルクが底部材から転がり落ちないように支える側壁を含む。コルクや液状の残渣をより保持するために、１つあるいは複数の端壁を有していてもよい。底部材は傾斜していてもよく、特に端壁に向かって傾斜していれば、コルクから滴る液体は一方の端部に排出され、結果として、残ったコルクは乾燥を保つ。
【００１１】
本ワインコルク陳列ホルダーは、ワインコルクと少量の液体のワインを保持するのに適当な任意の材料で形成されてよく、任意の材料として、これらに限定されないが、木材、プラスチック、金属、セラミック、石、ガラス、天然材料（例えば、骨、貝殻、珊瑚等）、あるいはそれらの混合物を含む。
【００１２】
セラミックとして、素焼き材、磁器材、テラコッタ、陶磁器、が好ましく、食器洗い機に耐性のあるセラミック材料が特に好ましい。蝋製ような他の代替実施態様であるワインコルク陳列ホルダーでは、１回使用した後に捨てることを想定しており、容易にきれいにできるようにする必要が全く無い。
【００１３】
本ワインコルク陳列ホルダーは標準的なワインのボトルのコルクを受ける寸法である。本技術分野では知られているように、そのようなコルクは通常、約１．９０５ｃｍ（３／４インチ）から２．５４ｃｍ（１インチ）の直径であり、約２．２２２５ｃｍ（７／８インチ）の直径のものが最も一般的である。ワインコルクの長さは典型的には、約３．８１ｃｍ（１．５インチ）から６．３５ｃｍ（２．５インチ）であり、約５．０８ｃｍ（２インチ）のものが特に一般的である。
【００１４】
それゆえ、ワインコルク陳列ホルダーは、そのようなサイズのコルクを受ける大きさの底部材を有し、底部材の側壁は典型的なコルクの直径と同じか、それよりやや大きい距離だけ離れて配置されることが好ましい。側壁は約０．６３５ｃｍ（０．２５インチ）から約１０．１６ｃｍ（４インチ）までの様々な長さでよく、好ましくは約２．５４ｃｍ（１．０インチ）から約７．６２ｃｍ（３．０インチ）の長さ、最も好ましくは約５．０８ｃｍ（２インチ）から６．３５ｃｍ（２．５インチ）の長さである。側壁は約１．２７ｃｍ（０．５インチ）から３．８１ｃｍ（１．５インチ）の間隔が開いており、約１．９０５ｃｍ（０．７５インチ）から３．１７５ｃｍ（１．２５インチ）の間隔が好ましく、約２．５４ｃｍ（１．０インチ）の間隔が最も好ましい。これらの壁の高さは、約０．３１７５ｃｍ（０．１２５インチ）から３．８１ｃｍ（１．５インチ）の高さが好ましく、０．６３５ｃｍ（０．２５インチ）から２．５４ｃｍ（１．０インチ）の高さがより好ましく、０．６３５ｃｍ（０．２５インチ）から１．９０５ｃｍ（０．７５インチ）の高さが最も好ましい。
【００１５】
ホルダーは、一方の端部から反対側の端部にかけて下方向／上方向に傾斜していてもよい。付加的に、底部材は前方壁および／または後方壁（あるいは端壁として言及される）を有していてもよい。端壁を有する場合、ホルダーは端壁に向かって傾斜することが好ましい。
【００１６】
ワインコルク陳列ホルダーは好ましくは凹部が形成される。凹部は一般的に、ワインコルクにぴったり合うように、あるいはゆるめに保持する大きさに作る。凹部の長さは、概ね約０．６３５ｃｍ（０．２５インチ）から１０．１６ｃｍ（４インチ）の長さであるが、２．５４ｃｍ（１インチ）から７．６２ｃｍ（３インチ）の長さが好ましく、一般的なコルクの長さに対応するために、約５．０８ｃｍ（２インチ）から６．３５ｃｍ（２．５インチ）の長さが最も好ましい。凹部の幅は一般的なワインコルクをぴったりと収めるか、あるいはゆったりと収めるかという要望に依存して、約１．２７ｃｍ（０．５インチ）から３．８１ｃｍ（１．５インチ）の幅まで様々であり、約１．９０５ｃｍ（０．７５インチ）から３．１７５ｃｍ（１．２５インチ）の幅が好ましく、約２．５４ｃｍ（１インチ）の幅が最も好ましい。凹部の深さは概ね、約０．３１７５ｃｍ（０．１２５インチ）から３．８１ｃｍ（１．５インチ）であり、約０．６３５ｃｍ（０．２５インチ）から２．５４ｃｍ（１インチ）の深さが好ましく、約０．６３５ｃｍ（０．２５インチ）から１．９０５ｃｍ（０．７５インチ）の深さが最も好ましい。凹部の断面形状は、円筒形、Ｖ字形、Ｕ字形、矩形、不定形や円弧形のように、様々な適当な形状であってよい。円弧形は、割線と円との交差点によって形成される円周の小さなあるいは大きな部分によって形成された形であると定義される。凹部は前方壁から後方壁に向かって傾斜していてもよく、または、一方の側壁からもう一方の側壁へ傾斜していてもよい、あるいはその両方の組み合わせであってもよい。
【００１７】
使用に際して、ワインコルク陳列ホルダーは、テーブルやその他の表面に配置され、ワインコルクはワインボトルが開栓されコルクが抜かれた後に、その上に配置される。もし傾斜した底部材を有するホルダーを用いるのならば、コルクは濡れている端をホルダーの低い方の端部に配置されることが好ましい。ホルダーは、コルクに付着しているワインのなんらかの残渣（液体や沈殿物であろう）が、ホルダーを静置したレストランや家庭のテーブル、あるいは、ワインが提供または陳列される他の表面に接触しないようにする。
【００１８】
ここで図を参照すると、図１および２は本発明に係るワインコルクホルダーの好ましい実施態様を示している。図示された実施態様であるホルダー１０は、底部１１（または床部と称する）と、一対の側壁１２ａおよび１２ｂを含む凹部からなる。図示した凹部１０は、約５．７１５ｃｍ（９／４インチ）の長さ「Ｌ」、約０．６３５ｃｍ（１／４インチ）の深さ「Ｄ」、約１．９０５ｃｍ（３／４インチ）の幅「Ｗ」を有している。従って、図示されたホルダーの各側壁の長さは、約６．３５ｃｍ（５／２インチ）である。各側壁の高さは床部の「厚さ」に依存するが、概ね、床部から約０．６３５ｃｍ（１／４インチ）であり、床部の長さ方向に渡って広がっている。
【００１９】
図示したホルダーにおける第１の端壁１３は、側壁１２ａおよび１２ｂの一方の端部と連結されている。端壁１３の高さは、側壁の高さに対応している。
【００２０】
図２Ａおよび図２Ｂに示すように、ホルダー２０は一方の端部からもう一方の端部に向かって下向きに傾斜している。図２Ａに図示した装置において、ホルダー２０は、ワインの残渣を保持するのを補助するために、端壁１３に向かって傾斜している。
【００２１】
図１および図２に示すように、ホルダーの凹部の断面は、陳列されるコルク１７の形状に合わせるのに有効な円弧形であってもよい。
【００２２】
図３は本発明に係るワインコルクホルダーの他の実施態様を示しており、１つの装置で複数のコルクを陳列する方法を示している。従って、複数の凹部３１、３２および３３が、ホルダー３０に備えられている。図示された本実施態様において、凹部３１、３２および３３は、標準的なワインコルクよりも短く、コルク３７を配置したり、取り外したりしやすくなっている。
【００２３】
図４は、凹部がＶ字形の、本発明で開示される一つの実施態様を示す。本実施態様においては、側壁４２ａおよび４２ｂは底部４１を形成するように連結している。
【００２４】
図５は、図４に示す実施態様と類似しているが、側壁の結合していない、一つの実施態様を示している。それゆえ、図５の「凹部」は「床部」を有さず、コルクは、ホルダー５０の傾斜した側壁５２ａおよび５２ｂの上に静置されることにより保持される。
【００２５】
図６は本発明の実施態様に係るワインコルク陳列ホルダーを示しており、ホルダー６０は、半球形状の底部材に配置された凹部６１からなる。側壁６２ａおよび６２ｂは、凹部を画定するように底部材に形成されている。
【００２６】
図７は本発明の他の好ましい実施態様を示している。ワインコルク陳列ホルダー７０は、底部材７１、第１の側壁７２ａ、第２の側壁７２ｂ、および端壁７３を有している。第１のおよび第２の側壁７２ａ、７２ｂは、それぞれ約６．３５ｃｍ（５／２インチ）の長さ、約１．９０５ｃｍ（３／４インチ）の高さであり、一方、端壁７３は約２．５４ｃｍ（１インチ）の長さ、約１．９０５ｃｍ（３／４インチ）の高さである。図示されているように、第１の側壁７２ａは、第２の側壁７２ｂとそれぞれの一方の端部で連結しており、凹部の一方の湾曲した端部を形成している。各々の側壁（７２ａおよび７２ｂ）のもう一方の端部は、端壁７３と凹部を完結するように連結している。他の実施態様で図示したように、凹部はどちらかの端部に向かって傾斜していてもよい。図７に図示した実施態様では、ホルダーは端壁７３に向かって傾斜している。
【００２７】
図８は、ワインコルク陳列ホルダー８０を示しており、床部８１、側壁８２ａおよび８２ｂを有している。ホルダー８０の断面形状は矩形（「凵」）である。他の実施態様で図示したように、凹部はどちらかの端部に向かって傾斜していてもよい。
【００２８】
図９はワインコルク陳列ホルダーの他の実施態様を示しており、ホルダー９０は、１つのみの底部材（あるいは台座）と、一つの側壁とからなる。従って、図示されたように、ホルダー９０は傾斜した一つの台座あるいは床部９１、および一つの側壁９２のみを有し、台座の傾斜により、ワインコルクは側壁９２を背にして静置される。
【００２９】
図１０は、さらに、ワインコルク陳列ホルダーの他の好ましい実施態様を示す。本実施態様にかかるホルダー１００は、側壁１０２ａおよび１０２ｂから形成されるとても短い凹部１０１を有している。本実施態様における凹部１０１は２．５４ｃｍ（１．０インチ）よりも長さが短く、１．２７ｃｍ（０．５インチ）よりも短くてもよい。図示された実施態様では、凹部は円弧形であるが、既に述べたような他の断面形状であってもよい。
【００３０】
図１１は、ワインコルクを「水平」ではなく「垂直」に保持するワインコルクホルダーの実施態様を示す。本実施態様において、ホルダー１１０は、底部材１１１と側壁１１２からなり、側壁１１２はコルクの端部を受ける大きさの窪みを形成している。側壁１１２は円形の窪みを形成することが好ましく、円形の窪みは陳列されるコルクの直径と略等しい直径であることが好ましい。
【００３１】
本発明を図示、および前述の説明をもって詳細に説明、図解してきたが、これらは、実例であり、またその文言に限定されないことを熟慮されたい。また、最も好ましい実施態様のみが図示され、説明されているのであって、本発明の精神から生ずる変更や変形は保護されることが求められていることを理解されたい。さらに、ここに引用されたすべての刊行物は、本発明における技術分野の当業者の能力を示しており、それにより、刊行物は参照されることにより、個別に参照し完全に詳しく説明されているかのように、本明細書に完全に組み込まれている。
【図面の簡単な説明】
【００３２】
【図１Ａ】本発明の好ましい一実施態様におけるワインコルク陳列ホルダーの斜視図である。
【図１Ｂ】図１Ａのワインコルク陳列ホルダーの背面図である。
【図１Ｃ】本発明の他の実施態様における端壁を有するワインコルク陳列ホルダーの斜視図である。
【図２Ａ】本発明の他の実施態様における、一方の端部から他方の端部にかけて傾斜しているワインコルク陳列ホルダーの斜視図である。
【図２Ｂ】本発明の別の実施形態における、端壁を有さずに２つの開いた端部を有する傾斜したワインコルク陳列ホルダーの斜視図である。
【図３Ａ】本発明の他の実施態様における、複数のワインコルクを保持するワインコルク陳列ホルダーを示す図である。
【図３Ｂ】本発明の他の実施態様における、複数のワインコルクを保持するワインコルク陳列ホルダーを示す図である。
【図４】本発明の他の実施態様における、凹部がＶ字型の断面を形成するワインコルク陳列ホルダーを示す図である。
【図５】本発明の他の実施態様における、側壁が連結しないＶ字型の断面を形成するワインコルク陳列ホルダーを示す図である。
【図６】本発明の他の実施態様における、半球形の台座を有するワインコルク陳列ホルダーを示す図である。
【図７】本発明の他の実施態様における、２つの閉じた端部を有する凹部からなり、１つの湾曲した端部を形成するために側壁が一方の端部で結合しているワインコルク陳列ホルダーを示す図である。
【図８】本発明の他の実施態様における、矩形（「凵」）の断面の凹部を有するワインコルク陳列ホルダーを示す図である。
【図９】本発明の他の実施態様におけるワインコルク陳列ホルダーを示す図である。
【図１０】本発明の他の実施態様における、コルクが側壁の長さよりも長くなるように、十分狭い側壁を有する、ワインコルク陳列ホルダーを示す図である。
【図１１Ａ】本発明の他の実施態様における、コルクを水平ではなく垂直に保持するワインコルク陳列ホルダーを示す。
【図１１Ｂ】本発明の他の実施態様における、コルクを水平ではなく垂直に保持するワインコルク陳列ホルダーを示す図である。
【図１Ａ】
2007513696.tif 000003
【図１Ｂ】
2007513696.tif 000004
【図１Ｃ】
2007513696.tif 000005
【図２Ａ】
2007513696.tif 000006
【図２Ｂ】
2007513696.tif 000007
【図３Ａ】
2007513696.tif 000008
【図３Ｂ】
2007513696.tif 000009
【図４】
2007513696.tif 000010
【図５】
2007513696.tif 000011
【図６】
2007513696.tif 000012
【図７】
2007513696.tif 000013
【図８】
2007513696.tif 000014
【図９】
2007513696.tif 000015
【図１０】
2007513696.tif 000016
【図１１Ａ】
2007513696.tif 000017
【図１１Ｂ】
2007513696.tif 000018
【国際調査報告】
2007513696.tif 000019